(57)【要約】【課題】番組の切り換わりを正確に判別することができる番組表示装置を提供する。【解決手段】デジタル放送の番組を記録するときは、ＭＰＥＧ２形式で圧縮されたトランスポートストリームから所望の番組のパケットで構成したパーシャルトランスポートストリームを記録する。パーシャルＴＳには、ＳＩＴ（Selection Information Table）が挿入される。ＳＩＴに含まれる番組開始情報を示すイベントスタートタイムを含む番組判別データを受信機で生成し、該番組判別データを用いることにより番組の切り換わりの正確な判別を行うことができる。番組の切り換わりを正確に判別することで、番組の切り換わりをトリガとする処理を行うことができ、ユーザの利便性も向上させることができる。【選択図】  図５
2006033252.tif 000002
【特許請求の範囲】
【請求項１】
映像信号や音声信号等が多重化された信号から所望の信号が抽出され、上記所望の信号および複数の制御信号からなるストリームが入力される番組表示装置において、
上記複数の制御信号の中の所定の制御信号から、少なくとも番組開始時刻を示すデータを含む番組判別データを生成する生成手段と、
上記番組判別データを他の番組判別データと比較することにより番組の切り換わりを検出する検出手段を備えることを特徴とする番組表示装置。
【請求項２】
請求項１に記載の番組表示装置において、
ビデオ、オーディオ、字幕、文字スーパーの内の１以上のデータを出力する番組表示装置。
【請求項３】
請求項１に記載の番組表示装置において、
上記番組判別データは、放送局を示す第１のデータと番組開始時刻を示す第２のデータにより構成される番組表示装置。
【請求項４】
請求項１に記載の番組表示装置において、
上記番組判別データは、ネットワークＩＤ、サービスＩＤ、イベントスタートタイムからなる番組表示装置。
【請求項５】
請求項１に記載の番組表示装置において、
上記所定の制御信号は、セレクションインフォメーションテーブル（ＳＩＴ）である番組表示装置。
【請求項６】
請求項１、請求項３または請求項４に記載の番組表示装置において、
上記番組判別データは、固定長のデータである番組表示装置。
【請求項７】
請求項１に記載の番組表示装置において、
上記検出手段による結果を使用して、ユーザに提示する所定の情報を示す画面を継続して表示するか、または他の画面に切り替えるかの処理を行う番組表示装置。
【請求項８】
請求項１に記載の番組表示装置において、
上記番組判別データは、上記所定の制御信号の変化が検出されたときに生成される番組表示装置。
【請求項９】
請求項１に記載の番組表示装置において、
上記番組判別データを用いて番組の切り換わりを検出し、
同じ番組と判別した場合は、判別前の動作環境を継続し、
異なる番組と判別した場合は、デフォルト設定に戻す処理を行う番組表示装置。
【請求項１０】
請求項１に記載の番組表示装置において、
上記ストリームは、デジタル放送におけるマルチビュー番組のストリームであり、
上記番組判別データを用いて番組の切り換わりを検出し、
同じ番組と判別した場合は、判別前と同じコンポーネントグループを表示し、
異なる番組と判別した場合は、デフォルト設定に戻す処理を行う番組表示装置。
【請求項１１】
請求項１に記載の番組表示装置において、
上記ストリームに複数のエレメンタリーストリームが含まれており、
上記番組判別データを用いて番組の切り換わりを検出した結果を使用して、ユーザに提示するエレメンタリーストリームを変更する番組表示装置。
【発明の詳細な説明】
【技術分野】
【０００１】
この発明は、番組表示装置、特にデジタル放送におけるＭＰＥＧ（Moving Picture Coding Experts Group）２−ＴＳ（Transport Stream）から不要なパケットを除いたパーシャルトランスポートストリームを再生した場合に、番組の切り換わりを正確に判別することができる番組表示装置に関する。
【背景技術】
【０００２】
近年、ＢＳデジタル放送、広帯域ＣＳデジタル方法、そして地上デジタル放送（以下、適宜、単にデジタル放送と略す）が開始されている。わが国におけるデジタル放送は、ＡＲＩＢ（Association of Radio Industries and Businesses）の規格に基づいて行われている。このＡＲＩＢの規格は、ヨーロッパのＤＶＢ（Digital Video Broadcasting）方式の規格に準拠しており、ＭＰＥＧ２−ＴＳのシステムで映像および音声を放送するものである。
【０００３】
ＭＰＥＧ２のシステムでは、符号化されたビデオやオーディオ、付加データなど個別のストリームを多重化し、それぞれの同期をとりながら再生するための方式を規定したもので、ＭＰＥＧ２−ＰＳ（Program Stream）とＭＰＥＧ２−ＴＳの２種類の方式がある。このうちＭＰＥＧ−ＰＳ方式は、文字、音声、字幕などの情報を多重化し、ＤＶＤ（Digital Versatile Disc）ビデオなどのデジタルストレージメディアに用いられている。
【０００４】
ＭＰＥＧ２−ＴＳは、放送や通信ネットワークなどデータの伝送誤りが発生する環境に適用されることを想定しており、１本のストリームの中に複数のプログラムを構成することができることから、デジタル放送に使用されている。
【０００５】
このＭＰＥＧ２−ＴＳでは、１８８バイトの固定長のＴＳパケットが複数個集まって、トランスポートストリームが構成される。この１８８バイトのＴＳパケットの長さは、ＡＴＭ（Asynchronous Transfer Mode）セル長との整合性を考慮して決定されている。
【０００６】
ＴＳパケットは、４バイトの固定長のパケットヘッダと、可変長のアダプテーションフィールドおよびペイロードで構成される。パケットヘッダには、ＰＩＤ（パケット識別子）や各種のフラグが定義されている。このＰＩＤにより、ＴＳパケットの種類が識別される。
【０００７】
ビデオやオーディオなどの個別ストリームが収められたＰＥＳ（Packetized Elementary Stream）パケットは、同じＰＩＤ番号を持つ複数のＴＳパケットに分割されて伝送される。ビデオの符号化には、例えばＭＰＥＧ２方式が用いられる。オーディオの符号化には、わが国のデジタル放送では、高い圧縮率と高音質が得られるＭＰＥＧ２−ＡＡＣ（MPEG2 Advanced Audio Coding）方式が用いられている。
【０００８】
また、データ放送における字幕などのデータが納められたＰＥＳパケットも、ビデオやオーディオのパケットと同様に、複数のＴＳパケットに分割されて伝送される。
【０００９】
更に、トランスポートストリームには、ＰＳＩ（Program Specific Information)やＳＩ（Service Information）のセクション形式のテーブルで記述された情報のパケットが含められる。ＰＳＩは、所望の放送のチャンネルを選択して受信するシステムで必要な情報であり、これには、ＰＡＴ（Program Association Table）、ＰＭＴ（Program Map Table）、ＮＩＴ（Network Information Table）、ＣＡＴ（Condition Access Table）などがある。ＰＡＴにはプログラム番号に対応したＰＭＴのＰＩＤなどが記述されている。ＰＭＴには対応するプログラムに含まれる映像、音声、付加データおよびＰＣＲのＰＩＤが記述される。ＮＩＴには、目的のプログラムがどの搬送波周波数で送られているかが記述されている。ＣＡＴには、限定受信方式の識別と契約情報等の個別情報に関する情報が記述される。ＳＩは、放送事業者のサービスに用いるセクションである。
【００１０】
このようなＡＲＩＢの規格に基づく放送として、ＢＳデジタル放送およびＣＳデジタル放送に加え、地上デジタル放送が開始されている。ところで、こうしたデジタル放送の番組の番組表示装置では、番組の切り換わりをトリガとする処理が行われる場合がある。例えば、番組の切換時にユーザに対する所定の提示画面を消去したり、またマルチビュー番組におけるコンポーネント選択をデフォルト設定に戻す等の処理である。このような処理を行うためには、正確に番組の切り換わりを判別することが必要となる。
【００１１】
番組の切換を判別する方法としてイベントＩＤ（event_id）を用いる方法がある。イベントＩＤとは、番組を特定するＩＤとして、ＳＩのうちのＥＩＴ（Event Information Table）に記載されている情報である。イベントＩＤは、所定の時間内では、ユニーク、即ち異なる番組に対して同一のイベントＩＤが付与されることはないため、受信機においてこのイベントＩＤの変化を検出することで番組の切り換わりを判別することができる。
【００１２】
また、下記の特許文献１には、所定のテーブルに記述されているトランスポートＩＤ（transport_id）、ネットワークＩＤ(network_id)、サービスＩＤ(service_id)の変化を検出し、番組の切り換わりを判別する発明が記載されている。
【００１３】
【特許文献１】特許第３４９０００１号公報
【発明の開示】
【発明が解決しようとする課題】
【００１４】
ところで、デジタル放送ではＭＰＥＧ２方式で圧縮されたＴＳ（ＭＰＥＧ２−ＴＳ）を、デジタル信号のまま高速デジタルインターフェースを伝送させ、例えばＤ−ＶＨＳや大容量光ディスク等のストレージメディアに記録し、再生することが行われる。デジタル放送の番組を記録する場合、ＭＰＥＧ２−ＴＳからユーザが録画したい番組を構成するパケットのみを取り出して受信機側で再構成したパーシャルトランスポートストリーム（Partial Transport Stream:以下、適宜、パーシャルＴＳと称する）を記録媒体に記録する。
【００１５】
パーシャルＴＳでは、所望の番組のオーディオ、ビデオ、データの各パケットと、ＰＡＴおよびＰＭＴセクションのパケットおよびＳＩＴ（Selection Information Table）セクションとＤＩＴ（Discontinuity Information Table）セクションのパケットが送られる。ここで、ＳＩＴは、パーシャルＴＳで伝送される番組に関する情報の指示をするテーブルであり、ＤＩＴは、パーシャルＴＳで伝送される番組の番組配列情報が不連続（例えば電源がオフされたとき）であるかもしれない変化点を指示するテーブルである。
【００１６】
なお、パーシャルＴＳの詳細については、DVB  ETS 300 468 Specification for Service information(SI) in DVB systems、ARIB-STD B1/B21、及びARIB TR-B15/TR-B14に記載されている。
【００１７】
上述したように、従来、番組を判別する手段としてイベントＩＤの変化を検出する方法がある。パーシャルＴＳでは、イベントＩＤはＳＩＴ中の放送ＩＤ記述子に記載されるが、放送ＩＤ記述子が挿入される条件は、データＥＳ（Elementary Stream）を送る場合のみとされている。すなわち、パーシャルＴＳにデータＥＳが含まれない場合は、放送ＩＤ記述子が挿入されず、イベントＩＤを検出することができない。
【００１８】
図６は、３つの番組（番組１、番組２、番組３）を例えばＤ−ＶＨＳに記録し、順に再生した場合を示す。図６に示すように、例えば番組１には全ての時間に対してイベントＩＤ=100が付与され、番組２はイベントＩＤが付与されておらず、また番組３に対してはイベントＩＤ=200が一部の時間に付与されていたとすると、番組の切り換わりのタイミングとイベントＩＤの切り換わりのタイミングが異なるため、正確に番組の切り換わりを判別することができない。
【００１９】
図７は、番組の切り換わりを正確に判別できない場合の他の例である。デジタル放送では、一つの番組に複数の映像を送信することができるため、マルチビューというサービスが行われる。例えば、野球番組では、“メイン画面”“１塁側画面”“３塁側画面”が同時に送信され、ユーザは三つの映像から所望の映像を選択したり、同時に表示させることができる。
【００２０】
例えば、図７に示すように、Ｄ−ＶＨＳに記録されたイベントＩＤ=100が付与されているマルチビュー番組４を再生している途中に早送り再生（CUE）を行ったとする。早送り再生等の特殊再生中のパーシャルＴＳの仕様は、そのパーシャルＴＳを送信する機器にもよるが、一般的には受信機はＳＩＴ中のサービスＩＤ以外の値は取得できない。そこで、通常の再生に戻ったタイミングで番組の特定を行う。
【００２１】
従来のようにイベントＩＤを用いて判別を行う場合は、早送り再生の前後で同一番組であるか否かの判別を行うことができない。これは、放送時刻が異なる場合は別番組に対して同じイベントＩＤが付与されている可能性があるためである。また、同じイベントＩＤでも放送局が異なる場合もあるため、番組単位の切り換わりを判別することができない。従って、上述したマルチビュー番組の例において、同じ番組であれば例えば３塁側画面を継続して表示し、異なる番組であれば、デフォルト設定に戻すなどの処理を行うことができない。
【００２２】
特許文献１には、上述したようにトランスポートＩＤ、ネットワークＩＤ、サービスＩＤの変化を検出し、番組の切り換わりを判別する発明が開示されている。ここで、トランスポートＩＤはＴＳを識別し、ネットワークＩＤはネットワークを識別し（例えばＢＳデジタルは「４」、ＣＳデジタルは「６」、「７」など）、サービスＩＤは編成チャンネルを識別する。即ち、特許文献１に記載された発明では、放送業者の区別により番組の切り換わりを判別することはできるが、例えば同じ放送業者が提供する番組の切り換わりを識別することはできない。また、イベントＩＤが異なる番組でも、トランスポートＩＤ、ネットワークＩＤ、サービスＩＤの全てが同じであれば同一番組と判別してしまうという問題点があった。
【００２３】
従って、この発明の目的は、番組単位の切り換わりを正確に判別することのできる番組表示装置を提供することにある。
【課題を解決するための手段】
【００２４】
上述した課題を解決するために、請求項１に係る発明は、映像信号や音声信号等が多重化された信号から所望の信号が抽出され、所望の信号および複数の制御信号からなるストリームが入力される番組表示装置において、複数の制御信号の中の所定の制御信号から、少なくとも番組開始時刻を示すデータを含む番組判別データを生成する生成手段と、番組判別データを他の番組判別データと比較することにより番組の切り換わりを検出する検出手段を備えることを特徴とする番組表示装置である。
【発明の効果】
【００２５】
この発明によれば、番組の切り換わりを正確に判別することができるため、番組切り換わりをトリガとする処理を行うことができ、さらにユーザに対してはより利便性の高い番組表示装置を提供することができる。
【発明を実施するための最良の形態】
【００２６】
以下、図面を参照しながらこの発明の一実施形態について説明する。図１は番組表示装置１を示す。この発明に対する理解を容易にするため、番組表示装置１は、デジタル放送を受信できる受信機能を有するが、必ずしも受信機能を有する必要はない。
【００２７】
図１において、参照符号１１は、受信用アンテナを示す。受信用アンテナ１１では、例えば１２GHz帯に割り当てられた電波を受信し、受信用アンテナ１１に設けられた低雑音コンバータ（低雑音増幅器）により、９５０MHz〜約２GHzの中間周波数に変換される。
【００２８】
受信用アンテナ１１の出力はチューナ回路１３に供給される。チューナ回路１３では、コントローラ４０の制御信号に基づき、放送受信信号の中から、所望の搬送波周波数の信号が選択される。
【００２９】
チューナ回路１３の出力が復調回路１４に供給される。復調回路１４では、例えば、ＢＰＳＫ（Binary Phase Shift Keying ）と、ＱＰＳＫ（Quadrature Phase Shift Keying ）と、ＴＣ−８ＰＳＫ（トレリス８相ＰＳＫ）の復調処理が行える。
【００３０】
復調回路１４の出力がエラー訂正部１５に供給される。エラー訂正部１５では、ビタビ復号、同期検出、リードソロモン符号、デインターリーブなどが行われる。
【００３１】
誤り訂正復号された信号は、デスクランブラ１６に供給される。デスクランブルされた信号は、端子ａを介してデマルチプレクス（Ｄｅｍｕｘ）１７に供給される。デマルチプレクス１７では、コントローラ４０の指令に基づいて、映像や音声が多重化されたストリームから所望のパケットのストリームを分離する。また、デマルチプレクス１７において、パケットのヘッダ部に記述されているパケット識別子（ＰＩＤ）に基づいて、所望のビデオパケット、オーディオパケット、データパケット、ＰＳＩ、ＳＩのパケットが分離される。
【００３２】
デマルチプレクス１７で分離されたビデオパケットはビデオデコーダ１８に、オーディオパケットはオーディオデコーダ１９にそれぞれ送られる。また、データパケット、ＰＳＩ、ＳＩはコントローラ４０に送られる。
【００３３】
ビデオデコーダ１８およびオーディオデコーダ１９では、ＭＰＥＧ方式により圧縮されたビデオデータおよびオーディオデータをデコードして、圧縮前の信号に再生する。再生されたビデオデータは出力端子２０から、またオーディオデータは出力端子２１から、例えばモニタなどに対して出力される。
【００３４】
また、番組表示装置１にはＩＣカードおよびカードＩ／Ｆ（以下、ＩＣカード制御部と称する）３０が設けられる。詳細な説明は省略するが、ＩＣカード制御部３０では、限定受信システムにおける鍵データの管理、課金情報の処理が行われる。また、モデム３１が設けられ、課金情報がモデム３１を介して、番組の放送センタに送られる。
【００３５】
次に、例えば、放送の番組を記録媒体に記録、再生する処理について説明する。図１に示す番組表示装置１には、Ｄ−ＶＨＳやＨＤＤ（Hard Disk Drive）、パーソナルコンピュータと組み合わせてＡＶ（Audio Visual）システムを構築できるように、例えばＩＥＥＥ（Institute of Electrical and Electronics Engineers）１３９４インターフェース５０が設けられている。また、録画機器に限らず、ＩＥＥＥ１３９４を介してデジタルテレビジョンなどの再生機器とも接続できる。
【００３６】
インターフェースを介して接続される機器間においてＴＳを転送する場合、不要なＴＳセクションが取り除かれ、必要なセクションが挿入され、パーシャルＴＳとして転送される。
【００３７】
番組表示装置１において、デスクランブラ１６によりデスクランブルされた信号は、ＰＩＤパーサ５１に供給される。ＰＩＤパーサ５１では、パーシャルＴＳで許されるパケットだけを通過させ、それ以外のパケットを破棄するものである。すなわち、ＰＩＤパーサ５１では、所望の番組のオーディオ、ビデオ、データのＰＥＳパケットを通過させ、他のパケットは破棄される。
【００３８】
また、ＰＩＤパーサ５１から出力されるストリームに、コントローラ４０により生成されたＳＩＴ、ＰＭＴ、ＰＡＴ，ＤＩＴが挿入され、パーシャルＴＳが生成される。生成されたパーシャルＴＳは、ＩＥＥＥ１３９４インターフェース５０を介して、接続された各機器に向け転送される。
【００３９】
一方、番組表示装置１とＩＥＥＥ１３９４インターフェース５０を介して接続された各機器から転送されてくるパーシャルＴＳは出力端子ｂを介してデマルチプレクサ１７に供給される。デマルチプレクサ１７で所望のプログラムのビデオパケット、オーディオパケット、データパケット、ＰＳＩ、ＳＩのパケットが分離される。
【００４０】
分離されたビデオパケットはビデオデコーダ１８に供給され、ビデオパケットが再生される。再生されたビデオ信号が出力端子２０から出力される。同様に、オーディオデータは、オーディオデコーダ１９に供給され、オーディオパケットが再生される。再生されたオーディオ信号は、出力端子２１から出力される。また、分離されたＰＳＩ、ＳＩはコントローラ４０に送られる。
【００４１】
また、番組表示装置１は、ネットワークインターフェース５３を介してインターネットと接続できるようにもされている。即ち、ネットワークを通じて配信される放送を受信することも可能とされている。
【００４２】
ところで、パーシャルＴＳに挿入されるＳＩＴには、種々の識別子（id）が記載されている。この発明では、番組を特定するデータ（以下、適宜、番組判別ＩＤと称する）として、図２に示すようなネットワークＩＤ（network_id）、サービスＩＤ（service_id）、イベントスタートタイム（event_start_time）を組み合わせた７２ビットのデータを用いる。ネットワークＩＤ、サービスＩＤおよびイベントスタートタイムはすべてＳＩＴの所定の記述子の中に記載されているため、コントローラ４０においてこれらを利用した番組判別ＩＤを構築することができる。
【００４３】
ネットワークＩＤは、ＳＩＴのネットワーク識別記述子に記載されている１６ビットのデータである。サービスＩＤは、ＳＩＴに記載されている１６ビットのデータである。
【００４４】
イベントスタートタイムは、ＳＩＴのパーシャルＴＳタイム記述子に記載されている４０ビットのデータであり、放送時の番組開始時刻（年、月、日、時、分、秒）を意味する。番組開始時刻の性質上、同一ネットワークＩＤで同一サービスＩＤであれば、イベントスタートタイムはユニークと考えられるため、図２に示す番組判別ＩＤを使用すれば、異なるネットワークＩＤやサービスＩＤが混在するパーシャルＴＳにおいても番組を特定することができる。
【００４５】
上述した番組判別ＩＤを用いて、番組の切り換わりを判別する例について説明する。図３は、例えば、Ｄ−ＶＨＳに記録された番組１、番組２および番組３を再生する際に、番組判別ＩＤを用いて番組の切り換わりを判別する例を示す。上述したように、デジタル放送の番組を記録するときはＳＩＴが含まれるパーシャルＴＳが記録される。従って、コントローラ４０において、ＳＩＴの情報から各番組毎の番組判別ＩＤを生成することができる。
【００４６】
デジタル放送におけるパーシャルＴＳの再生時は、図３に示すように各番組の番組判別ＩＤは全期間にわたり定義され、番組の途中では値は変化しない。言い換えれば、番組判別ＩＤの値の変化により番組の切り換わりを判別することができる。
【００４７】
例えば、番組２の視聴中に、ユーザ操作によりＥＳ画面が提示されていたとする。番組２は、例えば映画であり音声が日本語と英語を選択できるようにされていたとする。また、番組３は例えばニュースであり、日本語の音声しか選択できないようにされていたとする。このようなとき、番組判別ＩＤを用いて、番組２と番組３の切り換わりを判別することにより、ユーザへ提示されていたＥＳ画面を消去する処理を行うことができ、ユーザの利便性を高めることができる。なお、番組３が例えば日本語および英語を選択できるような場合は、ＥＳ画面の提示を継続するようにすることもできる。
【００４８】
図４は、図７を用いて説明したあるマルチビュー番組の視聴中に早送り再生を行った場合の例である。マルチビュー番組では、最大３までのコンポーネントグループが存在し、各コンポーネントグループにはそれぞれ一つの映像ストリームが存在する。例えば上述したように野球番組における３つの画面である。
【００４９】
あるマルチビュー番組においてコンポーネントグループ２の映像を視聴中に早送り再生を行った場合、番組表示装置１でコンポーネントグループを特定するコンポーネント識別子（component_group_descriptor）を記憶しておく。早送り再生から、通常の再生に戻ったタイミングで番組判別ＩＤを用いて、番組の判別を行う。同一番組と判別された場合は、記憶されているコンポーネント番号、この場合コンポーネント２の映像を選択し、再生する。また、別の番組と判別した場合は、例えばデフォルトコンポーネントグループに戻す処理を行うことが可能である。
【００５０】
この発明の一実施形態におけるコントローラ４０の処理について図５を用いて説明する。コントローラ４０では、周期的にＳＩＴが生成される。ステップＳ１の処理では、ＳＩＴの変化の検出が行われる。ＳＩＴの変化が検出されない場合は、その後の処理は行われない。ＳＩＴの変化が検出された場合は、動作はステップＳ２に進む。
【００５１】
ステップＳ２では、コントローラ４０により変化後のＳＩＴに記述されているネットワークＩＤ、サービスＩＤ、イベントスタートタイムから図２を用いて説明したような７２ビットの番組判別ＩＤを生成する。その後、動作はステップＳ３に進む。
【００５２】
ステップＳ３では、ステップＳ２で生成された番組判別ＩＤと、直前の番組における番組判別ＩＤの比較が行われる。ＳＩＴには、種々の記述子が記載されているため、ステップＳ１においてＳＩＴの変化を検出しても、番組判別ＩＤが変化しない場合もある。そのため、ステップＳ３で番組判別ＩＤの比較を行う。それぞれの番組判別ＩＤが同じと判断された場合は、同じ番組と判別する。また、それぞれの番組判別ＩＤが異なる場合は、番組が切り換わったものと判別し、番組切り換わり時の処理を行う（ステップＳ４）。番組切り換わり時の処理とは、例えば、デフォルトの設定に戻す等の処理が考えられるが、その他にも多様な処理を行うようにすることができる。
【００５３】
この発明は、この発明の要旨を逸脱しない範囲内でさまざまな変形や応用が可能であり、上述した一実施形態に限定されることはない。番組の切り換わりをトリガとする処理は、種々の処理を行うことができ、上述した一実施形態において説明した例に限定されることはない。
【００５４】
また、アナログ放送で行われているサービス（例えば、Ｇガイドなど）においても、番組開始情報を使用することにより上述したような番組判別ＩＤを生成することができ、番組の切り換わりを判別できるようにすることもできる。
【図面の簡単な説明】
【００５５】
【図１】この発明の一実施形態における番組表示装置１のブロック図である。
【図２】この発明の一実施形態における番組判別ＩＤを示す略線図である。
【図３】この発明の一実施形態における番組の切り換わりを判別する例を示す図である。
【図４】この発明の一実施形態における番組の切り換わりを判別する他の例を示す図である。
【図５】この発明の一実施形態におけるコントローラ４０の処理を示すフローチャートである。
【図６】従来の番組の切り換わりの例を示す略線図である。
【図７】従来の番組の切り換わりの他の例を示す略線図である。
【符号の説明】
【００５６】
１            番組表示装置
１６          デスクランブラ
１７          Ｄｅｍｕｘ
４０          コントローラ
５１          ＰＩＤパーサ
【図１】
2006033252.tif 000003
【図２】
2006033252.tif 000004
【図３】
2006033252.tif 000005
【図４】
2006033252.tif 000006
【図５】
2006033252.tif 000007
【図６】
2006033252.tif 000008
【図７】
2006033252.tif 000009